(57)【要約】【課題】タンを備えた靴に設けられる靴識別用標識であって、靴を踵側及び爪先側の何れから視認した場合であっても自己の靴を識別可能とする。【解決手段】タン３を備えた靴２に設けられる靴識別用標識１であって、タン３に取り付けられる取付部１１と、取付部１１に揺動自在に連設し、タン３の履き口２１側の端部３１から垂下するシート状の標識部１２と、標識部１２の両面に付された識別表示１３ａ，１３ｂとを備え、標識部１２を揺動させることにより、標識部１２がタン３の内面３ａに沿った状態、タン３の端部３１から垂下した状態、タン３の外面３ｂに沿った状態の何れかの状態に切り替え自在とされる。【選択図】図２
2008284267.tif 000002
【特許請求の範囲】
【請求項１】
タンを備えた靴に設けられる靴識別用標識であって、
前記タンに取り付けられる取付部と、
該取付部に揺動自在に連設し、前記タンの履き口側の端部から垂下するシート状の標識部と、
該標識部の両面に付された識別表示とを備え、
前記標識部を揺動させることにより、該標識部が前記タンの内面に沿った状態、前記タンの端部から垂下した状態、前記タンの外面に沿った状態の何れかの状態に切り替え自在とされることを特徴とする靴識別用標識。
【発明の詳細な説明】
【技術分野】
【０００１】
本発明は、タンを備える靴に設けられる靴識別用標識に関する。
【背景技術】
【０００２】
靴はデザインや色彩が似ているものが多く存在し、学校の下駄筺や居酒屋の座敷、病院等の靴を脱ぐ場所において、帰る際に誤って他人の靴を履いて帰ってしまうことがある。特に視力の低下した高齢者や注意力が未発達な幼児においては誤って他人の靴を履いてしまうことが多い。
【０００３】
そこで、従来、靴のタンの端部から垂下させた名札入れを備える靴識別用標識が知られている（例えば、特許文献１参照）。これによれば、名札入れに入れられた名札を確認することにより、誤って他人の靴を履いて帰ってしまうことを抑制することができる。
【０００４】
しかしながら、従来の靴識別用標識は、名札入れがタンの端部から垂下しているため、靴を踵側から視認する状態でしか靴識別用標識を見ることができない。従って、爪先側から視認する状態においては、靴を踵側から視認できるように靴を反転させて名札を確認する必要があり面倒である。又、爪先側から名札が視認できないため、名札の確認を怠り誤って他人の靴を履いて帰ってしまう虞がある。
【特許文献１】実公大１３−４８２２号公報
【発明の開示】
【発明が解決しようとする課題】
【０００５】
本発明は、以上の点に鑑み、靴を踵側及び爪先側の何れから視認した場合であっても自己の靴を識別可能とする靴識別用標識を提供することを目的とする。
【課題を解決するための手段】
【０００６】
上記目的を達成するため、本発明は、タンを備えた靴に設けられる靴識別用標識であって、前記タンに取り付けられる取付部と、該取付部に揺動自在に連設し、前記タンの履き口側の端部から垂下するシート状の標識部と、該標識部の両面に付された識別表示とを備え、前記標識部を揺動させることにより、該標識部が前記タンの内面に沿った状態、前記タンの端部から垂下した状態、前記タンの外面に沿った状態の何れかの状態に切り替え自在とされることを特徴とする。
【０００７】
かかる構成によれば、前記取付部を粘着剤などにより前記タンに取り付け、前記標識部を前記タンの端部から揺動させて前記タンの外面側に折り返すことにより、前記靴を爪先側から視認する状態においても前記識別表示を確認することができる。又、前記標識部を前記タンの端部から揺動させて垂下した状態とすることにより、前記靴を踵側から視認する状態においても前記識別表示を確認することができる。
【０００８】
これにより、自己の靴を爪先側及び踵側の何れから視認する状態においても容易に確認することができ、例えば視力の低下した高齢者や注意力が未発達な幼児においても誤って他人の靴を履いてしまうことを抑制することができる。又、前記靴を履く際には、前記靴識別用標識を前記タンの裏側に沿わせるように折り返し足の甲とタンの裏面との間で挟むようにすることにより、靴識別用標識を隠すことができる。
【発明を実施するための最良の形態】
【０００９】
本発明の実施の形態を図１を参照して説明する。図１は本発明の靴識別用標識の実施形態を示す説明図、図２は実施形態の靴識別用標識を靴に取り付けた状態を一部断面で示す説明図、図３は実施形態の靴識別用標識を靴の爪先側及び踵側から示した説明図である。
【００１０】
図１に示す本発明の実施形態の靴識別用標識１は、合成繊維製のシート状のものであり、粘着剤（又は接着剤）が表面に塗布された取付部１１と、取付部１１に揺動自在に連設され表面１２ａと裏面１２ｂとに識別表示１３ａ，１３ｂが付された標識部１２とからなる。取付部１１には粘着剤を保護する保護シート１１ａが設けられている。尚、靴識別用標識１の材質としては合成繊維に限られず、例えば、ゴムやビニール、布、皮、紙、プラスチックなどであってもよい。又、取付部１１と標識部１２とで異なる材料を用いて構成してもよい。
【００１１】
靴識別用標識１は、図２に示すように、保護シート１１ａを剥がし、標識部１２がタン３の履き口２１側の端部３１に位置するように、取付部１１を靴２のタン３の内面３ａに貼り付けられる。このように、靴識別用標識１は、取付部１１をタン３に貼り付ければ靴２に取り付けられるため、新たに本発明の靴識別用標識１を備える靴を購入することなく現在履いている靴に取り付けることができる。
【００１２】
識別表示１３ａ，１３ｂは、自己の靴を識別できるものであればよく、例えば名前や写真、花言葉などの文章、文字、家紋等の模様、色彩、シール、勤めている会社等の広告などを用いることができる。識別表示１３ａ，１３ｂとして広告を用いれば、勤務先の会社を宣伝することができる。図１においては、識別表示１３ａ，１３ｂは異なる識別表示を付しているが、表面１２ａと裏面１２ｂとに同一の識別表示を付してもよい。
【００１３】
靴識別用標識１は、取付部１１をタン３に取り付けると、標識部１２が自重でタン３から垂下した状態となる。この状態で、例えば下駄箱に靴２の踵２ａ側が視認できるように靴２を入れれば、図３（ａ）に示すように、標識部１２の表面１２ａに付された識別表示１３ａを確認することができる。
【００１４】
又、例えば居酒屋等の座敷に上がる際に、靴２の爪先２ｂ側を座敷側に向けたまま靴２を脱いだ場合、座敷から降りて靴２を履く際には、靴２の爪先２ｂ側を視認する状態となる。この場合、図３（ｂ）に示すように、靴２を脱ぐ際に標識部１２をタン３の外面３ｂに沿うように裏返すことにより、標識部１２の裏面１２ｂがタン３の外面３ｂ上に位置する。
【００１５】
これにより、靴２の爪先２ｂ側から視認する際においても、自己の靴２か否かを標識部１２の裏面１２ｂに付された識別表示１３ｂで容易に確認することができる。従って、例えば視力の低下した高齢者や注意力が未発達な幼児においても誤って他人の靴を履いてしまうことを抑制することができる。
【００１６】
又、靴２を履く際には、標識部１２がタン３の端部から垂下する状態とする。この状態で、靴２を履くと、靴２内への足の挿入に伴い、靴識別用標識１の標識部１２が取付部１１と重ね合わさるように折り返される。これにより、靴２を履いている状態においては、標識部１２を靴２内に隠すことができる。
【００１７】
尚、実施形態においては、靴識別用標識１の取付部１１をタン３の内面３ａに取り付けるものを説明したが、取付部１１をタン３の外面３ｂに取り付けるようにしてもよい。この場合、取付部１１の色をタン３の外面３ｂの色と同一にすれば、取付部１１を目立たなくする事ができる。
【００１８】
又、紐付きの靴等のように、タン３の少なくとも側方部の外面３ｂ上に紐穴が形成されている部分を備えるような靴においては、取付部１１をタン３の外面３ｂと紐穴が形成された部分とで挟んで靴識別用標識１を取り付けるように構成してもよい。
【図面の簡単な説明】
【００１９】
【図１】本発明の靴識別用標識の実施形態を示す説明図。
【図２】実施形態の靴識別用標識を靴に取り付けた状態を一部断面で示す説明図。
【図３】実施形態の靴識別用標識を靴の爪先側及び踵側から示した説明図。
【符号の説明】
【００２０】
１…靴識別用標識、  １１…取付部、  １２…標識部、  １２ａ…表面、  １２ｂ…裏面、  １３ａ，１３ｂ…識別表示、  ２…靴、  ２ａ…踵、  ２ｂ…爪先、  ２１…履き口、  ３…タン、  ３ａ…内面、  ３ｂ…外面、  ３１…端部。
【図１】
2008284267.tif 000003
【図２】
2008284267.tif 000004
【図３】
2008284267.tif 000005